(57)【特許請求の範囲】
【請求項１】
支柱に片持ちした片持ち屋根の屋根自由端設置の吊持金具に上方突出の係脱金具を係脱自在に引掛係合して吊持支承し且つ地表埋込設置の受具における水平杆に下方突出の鉤状金具を解除自在に挿入係合して抜止め保持することによって屋根自由端を支承するとともに不要時にそれぞれ係合を解除することによって取り外して上記支柱に設置した上部金具と下部金具に上記係脱金具と鉤状金具を係合して該支柱に添設収納自在とした伸縮自在の補助支柱を有するカーポートであって，該補助支柱の鉤状金具を該補助支柱の回動方向に向けて横向きに開口したコ字状鉤溝と上下方向にガイド孔を透設した上下位対向面板を有して形成し，上記地表埋込設置の受具を上記補助支柱の回動軌跡上にして該補助支柱の回動方向と交差して該コ字状鉤溝に挿入係合自在の水平杆を有して形成する一方，上記鉤状金具の補助支柱下方突出を，該鉤状金具に設けた水平折曲片を有する挿入固定部を補助支柱下端に挿入固定するとともにその上記水平折曲片に上記上下位対向面板のガイド孔と同位置のガイド孔を設けて，補助支柱下方の上下方向長孔から外方に突出した抓みによりこれらガイド孔に落し棒を上下動自在に設置し該落し棒によって上記コ字状鉤溝を分断して該コ字状鉤溝に挿入係合した上記水平杆を抜止め保持してなることを特徴とする補助支柱を有するカーポート。
【請求項２】
上記上下位対向面板のガイド孔透設位置を，その一端の起立連結板との間に水平杆の径又は横幅に応じた間隔を残す位置とし，コ字状鉤溝に挿入係合した水平杆の抜止め保持を水平杆の揺動防止状態で行ってなることを特徴とする請求項１に記載の補助支柱を有するカーポート。
【請求項３】
上記受具を，地表に埋込み設置して補助支柱下端の鉤状金具受入れ用の受入れスペースを上向きに開口して有する埋込部材と，該埋込部材の開口上端に交差載置して該埋込部材を固定する下端に折曲アンカー部を有するコ字状アンカー部材とにより構成し，水平杆を該コ字状アンカー部材の上記開口上端の交差載置して受入れスペースに架設した水平部によって構成してなることを特徴とする請求項１又は２に記載の補助支柱を有するカーポート。
【発明の詳細な説明】
【０００１】
【発明の属する技術分野】
本発明は，カーポートの片持ち屋根における屋根自由端を補助支柱によって支承する補助支柱を有するカーポートに関する。
【０００２】
【従来の技術】
支柱で片持ちした片持ち屋根に受けることある強風の煽り力や積雪の荷重に対して耐風圧性，耐荷重性を付与するために，片持ち屋根の屋根自由端に補助支柱を設置し，これによって屋根自由端を支持するものとされ，このとき補助支柱は伸縮自在のものを用いて，屋根自由端，例えば支柱から側方に突設した梁先端に吊持金具を設置し，該吊持金具を介して補助支柱を側方に回動自在に軸支吊持する一方，屋根支持を行うに際しては，補助支柱の下端を，地表に設置した受金具に固定し，不要時には縮小して回動跳ね上げして，梁長手方向中間の支持金具にこれを跳ね上げ収納するものとされる。
【０００３】
補助支柱の接地固定は，例えば補助支柱の下方にボルト孔を透設し，地表に補助支柱の回動方向に開口した上向きコ字状にしてその両側壁に同じくボルト透孔を透設した受具を設置し，補助支柱下端を受金具の両側壁間に挿入して各ボルト透孔を介してボルトを挿通し，ナットで締着することによって行うものとされる。
【０００４】
【発明が解決しようとする課題】
この場合補助支柱下端は，固定手段によって地表に固定されることになるから，補助支柱が外力を受けて外れたりすることがなく，安定且つ確実に屋根自由端の支持を行うことができるが，ボルト透孔の位置合せとボルトの挿通，ナットの締着を行う必要があり，煩雑であり，補助支柱設置を必要とする強風時，積雪時の状況に照らせば，その操作は必ずしも容易ではなく，著しく煩雑なものともなる。
【０００５】
本発明はかかる事情に鑑みてなされたもので，その解決課題とするところは，屋根自由端を支承するとともに不要時に取り外して上記支柱に添設収納自在とするようにした補助支柱の地表設置の受具に対する固定及びその解除を極めて容易且つ確実になし得るとともに該補助支柱の安定且つ確実な固定状態を得られるようにした補助支柱を有するカーポートを提供するにある。
【０００６】
【課題を解決するための手段】
上記課題に添って本発明は，屋根自由端の吊持ち金具に吊持支承し，地表埋込設置の受具に抜止め保持して補助支柱による屋根の支承を行なうとともに不要時に取り外して支柱に設置した上部金具と下部金具によって補助支柱を添設収納自在とするようにするとともに補助支柱を回動してその下端に設置した鉤状金具のコ字状鉤溝に受金具の水平杆を挿入係合し，該コ字状金具への水平杆の挿入係合を，落し棒によって抜止め保持して補助支柱の地表側の固定を行ない，該落し棒を持ち上げることによってその解除を行なって固定と解除をワンタッチで行い得るとともに落し棒の上下動自在の係合案内をより確実且つスムーズにして落し棒による抜止め保持を確実なものとするようにしたものであって，即ち請求項１に記載の発明を，支柱に片持ちした片持ち屋根の屋根自由端設置の吊持金具に上方突出の係脱金具を係脱自在に引掛係合して吊持支承し且つ地表埋込設置の受具における水平杆に下方突出の鉤状金具を解除自在に挿入係合して抜止め保持することによって屋根自由端を支承するとともに不要時にそれぞれ係合を解除することによって取り外して上記支柱に設置した上部金具と下部金具に上記係脱金具と鉤状金具を係合して該支柱に添設収納自在とした伸縮自在の補助支柱を有するカーポートであって，該補助支柱の鉤状金具を該補助支柱の回動方向に向けて横向きに開口したコ字状鉤溝と上下方向にガイド孔を透設した上下位対向面板を有して形成し，上記地表埋込設置の受具を上記補助支柱の回動軌跡上にして該補助支柱の回動方向と交差して該コ字状鉤溝に挿入係合自在の水平杆を有して形成する一方，上記鉤状金具の補助支柱下方突出を，該鉤状金具に設けた水平折曲片を有する挿入固定部を補助支柱下端に挿入固定するとともにその上記水平折曲片に上記上下位対向面板のガイド孔と同位置のガイド孔を設けて，補助支柱下方の上下方向長孔から外方に突出した抓みによりこれらガイド孔に落し棒を上下動自在に設置し該落し棒によって上記コ字状鉤溝を分断して該コ字状鉤溝に挿入係合した上記水平杆を抜止め保持してなることを特徴とする補助支柱を有するカーポートとしたものである。
【０００７】
請求項２に記載の発明は，上記に加えて，上記コ字状鉤溝への水平杆の抜止め保持に際して，該水平杆の揺動を防止し，その固定の確実性を向上するように，これを，上記ガイド孔透設位置を，その一端の起立連結板との間に水平杆の径又は横幅に応じた間隔を残す位置とし，コ字状鉤溝に挿入係合した水平杆の抜止め保持を水平杆の揺動防止状態で行ってなることを特徴とする請求項１に記載の補助支柱を有するカーポートとしたものである。
【０００８】
請求項３に記載の発明は，同じく上記に加えて，鉤状金具の受入れスペースを自動的に確保するとともに鉤状金具のコ字状鉤溝に対する水平杆の挿入係合の確実性を向上する好ましい形態の受具とするように，これを，上記受具を，地表に埋込み設置して補助支柱下端の鉤状金具受入れ用の受入れスペースを上向きに開口して有する埋込部材と，該埋込部材の開口上端に交差載置して該埋込部材を固定する下端に折曲アンカー部を有するコ字状アンカー部材とにより構成し，水平杆を該コ字状アンカー部材の上記開口上端の交差載置して受入れスペースに架設した水平部によって構成してなることを特徴とする請求項１又は２に記載の補助支柱を有するカーポートとしたものである。
【０００９】
本発明は，これらをそれぞれ発明の要旨として上記課題解決の手段としたものである。
【００１０】
【発明の実施の形態】
以下図面に従って本発明を更に具体的に説明すれば，図１乃至図７においてＡは上りタイプのカーポート，１はその支柱，２は該支柱１より側方に突設した梁，３は梁２上に載置固定することによって支柱１に片持ちした片持ち屋根，１０は，必要に応じて片持ち屋根３の屋根自由端に設置し，不要時に取外し縮小して支柱１に添設収納するようにした伸縮自在の補助支柱である。
【００１１】
屋根自由端への補助支柱１０の設置は，上記支柱１に片持ちした片持ち屋根３の屋根自由端設置の吊持金具２０に補助支柱１０上方突出の係脱金具２５を解除自在に引掛係合して吊持支承し且つ地表埋込設置の受具４０における水平杆４７に補助支柱１０下方突出の鉤状金具３０を解除自在に挿入係合して抜止め保持することによって屋根自由端を支承するように行い，また補助支柱１０による屋根自由端の支承が不要時には，これらの係合をそれぞれ解除することによって該補助支柱１０を取り外して上記支柱１に設置した上部金具５１と下部金具５３に上記係脱金具２５と鉤状金具３０を係合して該支柱１に補助支柱１０を添設収納自在としてある。
【００１２】
本例にあって吊持金具２０の屋根自由端への設置は，梁２先端に軸支固定して設置してあり，これによって係脱金具２５を引掛係合することによって補助支柱１０を側方に向けて回動自在に吊持支承して行なってある。即ち吊持金具２０は底基板とその両側の起立壁とにより上向きコ字状に形成し，起立壁間に梁２先端を受入れ被嵌して貫通ボルト２３によって，該梁２に上記軸支固定を行い，底基板に長手方向中央位置に拡幅部を有する鍵状係脱透孔２１を有するものとする一方，係脱金具２５は，補助支柱１０に嵌挿固定した嵌挿固定部の天板上に起立軸２７を突設するとともに該起立軸２７上方に係止突起２８を水平に突出してＴ字状乃至十字状とした係脱部２６を有するものとしてあり，吊持金具２０の鍵状係脱透孔２１に係脱部２６の向きを合わせてこれを挿入し，補助支柱１０を９０°回動することにより，起立軸２７を拡幅部で回動し係止突起２８を底基板上に載置し，天板又はこれに載置した平座金２２との間で底基板を挟み込み状とすることによって引掛係合し得るものとし，逆に補助支柱１０を回動して係脱部２６を鍵状係脱透孔２１から引抜き離脱することによって取外し得るものとして，上記係脱自在な引掛係合を行うものとして構成してある。
【００１３】
このように梁２の先端に設置し屋根自由端に回動自在とした補助支柱１０は，地表埋込設置の受具４０の水平杆４７に補助支柱１０下方突出の鉤状金具３０を解除自在に挿入係合して抜止め保持することによって，その接地固定を行なうようにしてあり，このとき補助支柱１０の鉤状金具３０は，これを該補助支柱１０の回動方向に向けて横向きに開口したコ字状鉤溝３５と上下方向にガイド孔３６を透設した上下位対向面板３３を有して形成し，上記地表埋込設置の受具４０を上記補助支柱１０の回動軌跡上にして該補助支柱１０の回動方向と交差して該コ字状鉤溝３５に挿入係合自在の水平杆４７を有して形成する一方，上記鉤状金具３０の補助支柱１０下方突出を，該鉤状金具に設けた水平折曲片３２を有する挿入固定部３１を補助支柱下端に挿入固定するとともにその上記水平折曲片３２に上記上下位対向面板３３のガイド孔３６と同位置のガイド孔３６を設けて，補助支柱１０下方の上下方向長孔５０から外方に突出した抓み４９によりこれらガイド孔３６に落し棒４８を上下動自在に設置し該落し棒４８によって上記コ字状鉤溝３５を分断して該コ字状鉤溝３５に挿入係合した上記水平杆４７を抜止め保持したものとしてある。
【００１４】
即ち本例の鉤状金具３０は，上方の水平折曲片３２を有して補助支柱１０の中空部でその内壁に対接するようにした上方の挿入平板部３１とその下端を水平に折曲して上位対向面板３３とするとともにこれに連結起立板３４及び下位対向面板３３を折曲形成したＳ字状厚肉鋼製のものとし，上記挿入固定部３１の水平折曲片３２，上下位対向面板３３の上下同一位置に上下方向の丸透孔を透設しこれをガイド孔３６としたものとしてあり，挿入固定部３１をネジ３７固定することにより，該鉤状金具３０を補助支柱１０下端に，コ字状鉤溝３５を補助支柱１０の回動方向，即ち側方に向けて横向きに開口するように設置してあり，このときその設置は，コ字状鉤溝３５が補助支柱１０幅内の回動方向に偏位し，連結起立板３４が幅内中央位置近傍にしてやや非開口側の後方に位置するものとし，これによりコ字状鉤溝３５と水平杆４７の係合を補助支柱１０の略中央位置で行い，回動する補助支柱１０の接地固定を安定且つ確実になし得るようにし，また上記水平折曲片３２と上位対向面板３３間には，補助支柱１０下端を閉塞する閉塞部材３８の端部をＬ字状に立上げ折曲して，上記ガイド孔３６と同位置に更に一対の透孔によるガイド孔３９を透設したものとしてある。
【００１５】
本例の受具４０は，これを地表に埋込み設置して補助支柱１０下端の鉤状金具３０受入れ用の受入れスペース４２を上向きに開口して有する埋込部材４１と，該埋込部材４１の開口上端に交差載置して該埋込部材４１を固定する下端に折曲アンカー部４６を有するコ字状アンカー部材４５とにより構成し，水平杆４７を該コ字状アンカー部材４５の上記開口上端の交差載置して受入れスペース４２に架設した水平部によって構成したものとしてある。
【００１６】
即ち本例の受具４０における埋込部材４１は，平面矩形横長にしてその両側下面を湾曲して，補助支柱１０下端の上記鉤状金具３０を補助支柱１０の回動に伴って回動受入れし，また回動引抜きし得る程度の長さと深さの受入れスペース４２を有して舟状とし，その外周高さ方向中間位置に張出し鍔部４３を突設する一方，長手方向中央位置の両側壁上端には凹陥Ｕ字状の受座４４を有するアルミ鋳造，樹脂射出成型等成型一体のものとしてあり，アンカー部材４５は，水平部とその両側の垂下部及び垂下部下端をそれぞれ外方に折曲して折曲アンカー部４６とした，太径丸棒鋼材をコ字状に折曲加工したものとしてあり，上記埋込部材４１の受座４４に水平部を嵌込み架設して，これにアンカー部材４５をセットして受具とし，該アンカー部材４５をコンクリートに対するアンカーとして地表の補助支柱１０回動軌跡上の位置に埋込部材４１の上端が地表面と面一となるように埋込設置し，埋込部材４１の受入れスペース４２に架設したアンカー部材４５の水平部によって，鉤状金具３０に対する丸棒鋼材による上記水平杆４７をなすものとしてある。
【００１７】
また本例の落し棒４８は，上端を水平に折曲して抓み４９用のレバー部とした，同じく太径丸棒鋼材をＬ字状に折曲加工したものとしてあり，鉤状金具３０の挿入固定部３１より上位の補助支柱１０の一側面下方に透設した上下方向の長孔５０に上記レバー部を挿通して外方にその持ち上げ操作を可能とするように突出する一方，補助支柱１０の中空部内でその垂直軸を各ガイド孔３６，３９に上下動自在に係合案内自在とするように上下貫通状に挿通して補助支柱１０に上下動自在に設けたものとしてある。
【００１８】
従って本例にあっては，梁２の吊持金具２０に係脱金具２５を引掛係合し，９０°回動することにより，補助支柱１０を接地固定用に回動自在に吊持支承し，その伸縮長さを調整して受具４０側に回動し，下端の鉤状金具３０のコ字状鉤溝３５にアンカー部材４５の水平部による水平杆４７を受入れるようにし，手で抓み４９を持上げ状等とした落し棒４８を離せば，該落し棒４８がガイド孔３６，３９に案内されて自重落下し，コ字状鉤溝３５を分断し，これに挿入係合した水平杆４７を，その揺動を防止した状態に抜止め保持し，一方この落し棒４８の抓み４９を上下方向の長孔５０に添って持ち上げれば，コ字状鉤溝３５を分断した落し棒４８が上昇してこれを解放し，水平杆４７の抜止め保持を解除し，補助支柱１０の反対方向への回動を可能として，鉤状金具３０の受具４０からの離脱を可能とするに至り，ワンタッチで固定と解除をなし得るものとすることができる。
【００１９】
上記屋根３を片持ちした支柱１には，上記上部金具５１及び下部金具５３を設置してあるから，該補助支柱１０は該上部金具５１と下部金具５２によって支柱１に添設収納するようにしてある。
【００２０】
本例にあって上部金具５１は，支柱１上方に固定し，水平片に吊持金具２０と同一形状の係脱透孔５２を透設し，係脱金具２５を互換的に係脱自在とし，垂直片を支柱１にネジ固定するようにした補助支柱１０の支柱添設収納用としてあり，また下部金具５３は，該上部金具５１に９０°回動して吊持支承した状態で水平片を補助支柱１０の鉤状金具３０のコ字状鉤溝３５に挿入自在とし，その中央の透孔５４に落し棒４８を自重落下して補助支柱１０の外れを防止し，垂直片を同じく支柱１にネジ固定するようにした補助支柱１０の支柱添設収納用としてあり，これによって屋根自由端の支持を不要とする時に取り外した補助支柱１０を上記支柱１に添設収納自在とするようにしてある。
【００２１】
図８乃至図１０は，上記梁を用いることなく，支柱１の長手方向中間位置に屋根３一端を固定する一方，支柱１上端からの吊杆５によって屋根３自由端側を吊持ちすることにより支柱１に屋根３を片持ちした上吊りタイプのカーポートＢにおいて補助支柱１０の接地固定を上記と同一の構成によって行うようにした例であり，本例にあっては，梁を用いないため前枠４の長手方向中間位置に補助支柱１０を同様に吊持支承したものとしてあり，このとき補助支柱１０の吊持支承は，上記吊持金具２０と係脱金具２５に加えて，吊持金具２０を前枠４に固定するための取付金具２４を追加して用い，該取付金具２４はこれを前枠４下面に対接する対接基板とその両側の垂下壁とにより下向きコ字状に形成し，対接基板を前枠４にネジ固定する一方，垂下壁を吊持金具２０の起立壁と重合して貫通ボルト２３によって該吊持金具２０を軸固定するものとし，これにより上りタイプのカーポートＡに取付金具２４を追加使用する以外は，補助支柱１０，吊持金具２０，係脱金具２５，鉤状金具３０，受具４０及び落し棒４８等の構成を同一に共通化して上吊りタイプのカーポートＢに用い，上りタイプのカーポートＡにおいて，上記梁に吊持金具２０を設置すると同様に補助支柱１０を９０°回動して，側方に向けてこれを回動自在とし，その下端の鉤状金具３０を同様に受具４０に挿入自在とし，落し棒４８による抜止め保持を行い得るようにしてある。
【００２２】
なお図中１１は補助支柱１０を伸縮自在としその伸縮長さを固定する抓み付きボルト，１２は該抓み付きボルト１１の受溝である。
【００２３】
図示した例は以上のとおりとしたが，補助支柱の回動方向を前後方向，即ち片持ち屋根の自由端に添う前枠長手方向とすること，落し錠を下方に向けた付勢手段により下方付勢したものとして，自動的に抜止め保持を行うものとすること，受金具の水平杆を厚肉細幅板状のものとすること等を含めて，本発明の実施に当って補助支柱，鉤状金具，受具，落し棒等の各具体的形状，構造，材質，これらの関係，これらに対する付加等は，上記発明の要旨に反しない限り様々に変更した形態のものとすることができる。
【００２４】
【発明の効果】
本発明は以上のとおりに構成したので，請求項１は，屋根自由端を支承するとともに不要時に取り外して上記支柱に添設収納自在とするようにした補助支柱の地表設置の受具に対する固定及びその解除を極めて容易且つ確実になし得るとともに該補助支柱の安定且つ確実な固定状態を得られ，構造が簡易でトラブルなく，長期に亘って耐久性を有するようにした補助支柱を有するカーポートを提供することができる。
【００２５】
請求項２は，上記に加えて抜止め保持に際して水平杆の揺動を防止し，固定の確実性を向上したものとすることができる。
【００２６】
請求項３に記載の発明は，同じく上記に加えて，鉤状金具の受入れスペースを自動的に確保するとともに鉤状金具のコ字状鉤溝に対する水平杆の挿入係合の確実性を向上する好ましい形態の受具とすることができる。
【図面の簡単な説明】
【図１】カーポートの斜視図である。
【図２】補助支柱と吊持金具及び受具との関係を示す斜視図である。
【図３】補助支柱の設置状態を示す正面図である。
【図４】支柱と補助支柱の関係を示す斜視図である。
【図５】補助支柱の一部切欠き正面図である。
【図６】受具の斜視図である。
【図７】受具の設置状態を示す断面図である。
【図８】他の例を示すカーポートの斜視図である。
【図９】補助支柱と吊持金具及び受具の関係を示す斜視図である。
【図１０】補助支柱の設置状態を示す正面図である。
【符号の説明】
Ａ  カーポート
Ｂ  カーポート
３  片持ち屋根
１０  補助支柱
３０  鉤状金具
３３  対向面板
３４  連結起立板
３５  コ字状鉤溝
３６  ガイド孔
４０  受具
４１  埋込部材
４２  受入れスペース
４５  アンカー部材
４７  水平杆
４８  落し棒
４９  抓み
５０  長孔
【図１】
0003629086.tif 000002
【図２】
0003629086.tif 000003
【図３】
0003629086.tif 000004
【図４】
0003629086.tif 000005
【図５】
0003629086.tif 000006
【図６】
0003629086.tif 000007
【図７】
0003629086.tif 000008
【図８】
0003629086.tif 000009
【図９】
0003629086.tif 000010
【図１０】
0003629086.tif 000011